(57)【要約】【課題】容易に端子部の接続作業をすることができ、不用意な遮断器の遮断を防止することが可能なトリップロック端子を提供する。【解決手段】  トリップロック端子１は基盤２に固定される一対の端子部３ａ，３ｂと、端子部３ａ，３ｂ同士を接続する短絡片４とを有して構成され、端子部３ａ，３ｂのうち端子部３ａが継電器に接続され、端子部３ｂが遮断器に接続されている。遮断器に接続された端子部３ｂは、雌端子３１が形成され、短絡片４は、その一端部に端子部３ｂの雌端子３１と接続する雄端子４５が形成されている。また、遮断器に接続された端子部３ｂを閉塞可能に形成されたシャッター５が基盤２に固定され、シャッター５は、端子部３ｂの前面を上下にスライドして開閉するスライド板５０と、スライド板５０の周囲を囲む枠５１と、枠５１内に固定された板状部材５２と、を有し、板状部材５２は、基盤２と対向する面と反対側の面に文字が記載されている。【選択図】  図１
2014039344.tif 000002
【特許請求の範囲】
【請求項１】
基盤に固定される一対の端子部と、前記端子部同士を接続する短絡片とを有し、前記端子部の一方が継電器に接続され、他方が遮断器に接続されるトリップロック端子であって、
前記継電器に接続される端子部は、スタッド端子が形成され、
前記遮断器に接続される端子部は、雌端子が形成され、
前記短絡片は、その一端部に前記雌端子と接続する雄端子が形成され、他端部に前記スタッド端子と接続可能なプラグが形成され、
前記遮断器に接続された端子部の前面を閉塞可能とするシャッターが前記基盤に固定され、
前記シャッターは、前記端子部の前面を上下にスライドして開閉するスライド板と、前記スライド板の周囲を囲む枠と、前記基盤の前面において前記端子部を避けて設けられた板状部材と、を有し、
前記スライド板は、自重によって上方から下方へのスライドが可能であり、
前記シャッターは、前記板状部材の前記基盤と対向する面と反対側の面に文字が記載されていることを特徴とするトリップロック端子。
【請求項２】
前記雄端子は、バナナ端子であることを特徴とする請求項１に記載のトリップロック端子。
【請求項３】
前記雄端子は、先端に向かって縮径するようにテーパー状に形成されたことを特徴とする請求項１に記載のトリップロック端子。
【請求項４】
前記板状部材は、前記枠内に固定される固定板であり、
前記固定板の前記基盤と対向する面と反対側の面に文字が記載されていることを特徴とする請求項１乃至３のいずれかに記載のトリップロック端子。
【請求項５】
前記枠は、前記スライド板のスライドをガイドするためのレールが設けられた一対のレール枠を有して構成され、前記板状部材は、一方の前記レール枠から他方のレール枠にかけて形成された板状の壁部であり、
前記壁部は、前記基盤に当接して固定され、前記基盤と対向する面と反対側の面に文字が記載されていることを特徴とする請求項１乃至３のいずれかに記載のトリップロック端子。
【請求項６】
請求項１ないし５のいずれかに記載のトリップロック端子に接続する表示板であって、
前記表示板は、前記遮断器に接続された端子部に接続する接続部と、前記接続部が形成された本体部とを有し、
前記本体部は、前記枠の側面を囲うようにコ字状に形成され、前記本体部の前記基盤と対向する面と反対側の面に文字が記載され、
前記接続部は、雄端子であることを特徴とする表示板。
【発明の詳細な説明】
【技術分野】
【０００１】
本発明は、遮断器を作動させるトリップ回路に設けられるトリップロック端子及びこれに用いられる表示板に関する。
【背景技術】
【０００２】
変電所などにおいては、電力系統に発生する異常現象を検出すると、遮断器等の主器（開閉器）にトリップ指令を出力し、これにより故障区間を遮断して正常な系統や機器に異常現象が波及することを防ぐ保護継電器が設置されている。このような継電器は、送電停止を行なわずに点検や工事を行なう必要があるため、継電器の点検や工事などで遮断器が不用意に動作して停電しないようにする必要がある。このため、継電器側と遮断器側との間には、点検時などにトリップ回路を開路（ロック）するトリップロック端子が設けられている。
【０００３】
このようなトリップロック端子は、遮断器側の端子に誤って接続されると不用意に動作することがあるため、端子にカバーを取り付けて誤作動の防止が図られている（特許文献１参照）。
【０００４】
ところで、継電器の点検等の作業が終了した場合には、トリップ回路のロックを戻す必要があるが、継電器の保護リレーの接点状態が開状態であっても、継電器側と遮断器側との間に電圧があると、プラグを本体に装着した際にトリップ用補助コイルに電流が流れてトリップ用補助接点が閉成し、これによりトリップコイルに電流が流れて遮断器が動作し、停電事故を誘発する危険がある。
【０００５】
このため、残留電圧があるかどうかを電圧計で測定し、電圧が無いことを確認してからプラグを本体に挿入するようにしているが、ロック箇所が多い場合には、それぞれの箇所で電圧を確認する必要があるため、作業が煩雑になり、また、時間を要する不都合があった。さらに、電圧計が故障したり、電圧計の設定を誤ると短絡状態が形成される可能性もあり、電圧を測定するつもりでテスト棒を当てると、トリップコイルに電流が流れて遮断器が動作する不都合もある。
【０００６】
そこで、このような残留電圧等による遮断器の誤作動を防止するため、端子に接続する２つのプラグの長さを異なるように形成し、先に長いプラグ（継電器側）を接続してリレーの状態をチェックし、正常な状態であることが確認された後に短いプラグ（遮断器側）を接続して、遮断器の不用意な開放動作を防止するものもある（特許文献２参照）。
【０００７】
さらに、残留電圧等の確認のために、発光素子を備えたプラグを本体に挿し込んで、発光素子の発光の有無により残留電圧を判断可能に構成されたトリップロック端子も考えられている（特許文献３参照）。
【０００８】
さらにまた、短絡片の表面に作業員に注意を促すための文字を記載することで、誤操作による遮断器の遮断を防止することも行われており、例えば、短絡バーの中央部の絶縁部材には、トリップロック中であることを示す文字又は記号を表示するように構成したトリップロック端子等も考えられている（特許文献４参照）。
【先行技術文献】
【特許文献】
【０００９】
【特許文献１】特開２００９−０３３８１６号公報
【特許文献２】特開平１０−２８５７１６号公報
【特許文献３】特開２００６−３３３６５９号公報
【特許文献４】特開２０１０−１４８３３７号公報
【発明の概要】
【発明が解決しようとする課題】
【００１０】
しかしながら、特許文献１に記載の端子用保護カバーは、端子部に端子用保護カバーが設けられると、残留電圧の確認をはじめとする端子部の接続作業にはカバーを外さなければならないため作業効率が悪くなる問題がある。
また、金属製のバネを用いることが多く、バネが破損した場合にはミストリップ等が発生し不用意な遮断が発生する問題がある。
【００１１】
特許文献２に記載のトリップロック端子は、ロックつまみを取り外した後には差込口が開放状態になるため、誤信号や異物によって遮断器が不用意に遮断する恐れがある。
【００１２】
特許文献３に記載のトリップロック端子は、プラグ本体に取り付けられた発光素子にて放電を行い、その後にプラグ挿入をする構造となっているが、放電完了を知らせる発光素子が破損していた場合には残留電荷の影響を受けることになるため、回路に遮断信号が入力され不用意な遮断が発生する恐れがある。  
【００１３】
また、特許文献２及び３のいずれのトリップロック端子も、スタッド端子の形状から変更されているため、残留電圧の確認を行うために直接的に電圧計を接続することが困難であるため、コネクタ等の取付作業が必要になるため作業が煩雑になるという問題ある。
【００１４】
さらに、特許文献４のトリップロック端子の短絡バーには裏面にトリップロック中であることを示す文字が記載されているので、作業者がトリップロックに伴い短絡バーを取り外したときに裏面に返して再度取り付けなければならない。このため、トリップロックであるかの判断を作業員が行わなければならず、作業員がその操作を誤ったり、作業をし忘れたりした場合には誤接続などによる不用意な遮断器の遮断が起こるおそれがある。
【００１５】
本発明は、かかる事情に鑑みてなされたものであり、容易に端子部の接続作業をすることができ、不用意な遮断器の遮断を防止することが可能なトリップロック端子を提供することを主たる課題としている。
【課題を解決するための手段】
【００１６】
上記課題を達成するために、本発明のトリップロック端子は、基盤に固定される一対の端子部と、前記端子部同士を接続する短絡片とを有し、前記端子部の一方が継電器に接続され、他方が遮断器に接続されるトリップロック端子であって、前記継電器に接続される端子部は、スタッド端子が形成され、前記遮断器に接続される端子部は、雌端子が形成され、前記短絡片は、その一端部に前記雌端子と接続する雄端子が形成され、他端部に前記スタッド端子と接続可能なプラグが形成され、前記遮断器に接続された端子部の前面を閉塞可能とするシャッターが前記基盤に固定され、前記シャッターは、前記端子部の前面を上下にスライドして開閉するスライド板と、前記スライド板の周囲を囲む枠と、前記基盤の前面において前記端子部を避けて設けられた板状部材と、を有し、前記スライド板は、自重によって上方から下方へのスライドが可能であり、前記シャッターは、前記板状部材の前記基盤と対向する面と反対側の面に文字が記載されていることを特徴としている。
【００１７】
遮断器に接続された端子部は、雌端子が形成され、短絡片は、その一端部に前記雌端子と接続する雄端子が形成されることで、電気回路の切離し（テストターミナルロック）等の接続作業が容易にでき、接続作業の時間を短縮することが可能となる。
また、継電器に接続された端子部は、スタッド端子が形成されることで、従来のトリップロック端子の端子形状と同一であるため、電圧計等の測定器の接続をコネクタ等を用いずに直接接続することが可能となる。
さらに、遮断器に接続された端子部は、雄端子と接続可能に雌端子に形成されることで、スタッド端子のように基盤から突設された部材がなくなるため、端子部を閉塞可能に形成されるシャッターを取り付けるためのスペースを確保することが可能となる。
さらにまた、スライド板が自重によって上方から下方へのスライドが可能とされることで、短絡片を取り外すと同時に、押し上げられたスライド板が下降することで遮断器に接続された端子部の前面を閉塞する（シャッターが閉じる）ため、この端子部への誤信号の入力や異物等の侵入を防ぎ、遮断器が不用意に遮断することを防ぐことができる。
また、板状部材の基盤と対向する面と反対側の面に文字が記載されていることで、スライド板が自重により下方へスライドしたときに文字を表示することになり、作業員が何ら操作を行わずに他の作業員に注意を促す表示を行うことができる。この文字表示は、ヒューマンエラーの防止を図ることができるため、電気回路の切離し（テストターミナルロック) 等の接続作業を行う際に、接続箇所の人的判断を行わずに誤操作を防ぐことができるため不用意な遮断器の遮断を防ぐことが可能となる。
【００１８】
また、雄端子は、バナナ端子としてもよい。
雄端子をバナナ端子にすることにより、遮断器に接続された端子部との接続を確実に行うことが可能になる。
【００１９】
さらに、雄端子は、先端に向かって縮径するようにテーパー状に形成されるようにしてもよい。
雄端子がテーパー状に形成されることで、金属の磨耗によりテーパー部分の傾斜角度が緩くなるため、目視により端子部の金属部分の磨耗度を容易に確認することが可能となる。
【００２０】
板状部材は、枠内に固定される固定板であり、前記固定板の前記基盤と対向する面と反対側の面に文字が記載されているようにしてもよい。
固定板の前記基盤と対向する面と反対側の面に文字が記載されているようにすることで、スライド板が自重により降下して遮断器に接続された端子部の前面を閉じたときに、文字が現れることになり、作業者が誤った位置に接続することを防止することが可能になる。
【００２１】
枠は、スライド板のスライドをガイドするためのレールが設けられた一対のレール枠を有して構成され、板状部材は、一方の前記レール枠から他方のレール枠にかけて形成された板状の壁部であり、前記壁部は、前記基盤に当接して固定され、前記基盤と対向する面と反対側の面に文字が記載されているようにしてもよい。
【００２２】
壁部の基盤と対向する面と反対側の面に文字が記載されているようにすることで、固定板に要していたスペースが不要になるため、固定板を設けるスペースが確保できないような場所においても実施することが可能になる。
【００２３】
これらのトリップロック端子に接続する表示板であって、表示板は、遮断器に接続された端子部に接続する接続部と、前記接続部が形成された本体部とを有し、前記本体部は、前記枠の側面を囲うようにコ字状に形成され、前記本体部の基盤と対向する面と反対側の面に文字が記載され、前記接続部は、雄端子であるように構成してもよい。
【００２４】
基盤と対面する反対側の面に文字が記載された表示板をトリップロック端子の遮断器に接続された端子部に接続することで、作業者が一見にして回路がどのような状態であるかを判断することができるため、作業ミスを減らすことが可能になる。
【発明の効果】
【００２５】
以上述べたように、本発明のトリップロック端子は、遮断器に接続された端子部は、雌端子が形成され、短絡片は、その一端部に前記雌端子と接続する雄端子が形成されることで、電気回路の切離し（テストターミナルロック）等の接続作業を容易にすることができ、接続作業の時間を短縮することが可能となる。
また、継電器に接続された端子部は、スタッド端子が形成されることで、従来のトリップロック端子の端子形状と同一であるため、電圧計等の測定器の接続をコネクタ等を用いずに直接接続することが可能となる。
さらに、遮断器に接続された端子部は、雄端子と接続可能に雌端子に形成されることで、スタッド端子のように基盤から突設された部材がなくなるため、端子部を閉塞可能に形成されるシャッターを取り付けるためのスペースを確保することが可能となる。
さらにまた、スライド板が自重によって上方から下方へのスライドが可能にされることで、短絡片を取り外すと同時に、押し上げられたスライド板が遮断器に接続された端子部の前面を閉塞する（シャッターが閉じる）ため、この端子部への誤信号の入力や異物等の侵入を防ぎ、遮断器が不用意に遮断することを防ぐことができる。
また、板状部材の基盤と対向する面と反対側の面に文字が記載されていることで、スライド板が自重により下方へスライドしたときに文字を表示することになり、作業員が何ら操作を行わずに他の作業員に注意を促す表示を行うことができる。この文字表示は、ヒューマンエラーの防止を図ることができるため、電気回路の切離し（テストターミナルロック) 等の接続作業を行う際に、接続箇所の人的判断を行わずに誤操作を防ぐことができるため不用意な遮断器の遮断を防ぐことが可能となるとともに、操作時間の短縮を図ることができる。
【図面の簡単な説明】
【００２６】
【図１】図１は、トリップロック端子の断面図である。
【図２】図２は、短絡片の全体構成を示すもので、（ａ）は、拡大正面図である。（ｂ）は、拡大斜視図である。（ｃ）は、短絡片のバリエーションを示した拡大斜視図である。
【図３】図３は、シャッターの拡大断面図である。
【図４】図４は、シャッターの枠の拡大斜視図である。
【図５】図５は、（ａ）は、シャッターの固定板の拡大斜視図である。（ｂ）はスライド板の拡大斜視図である。（ｃ）はスライド板のバリエーションを示した拡大斜視図である。
【図６】図６は、シャッターの動作を示す拡大正面図であり、（ａ）は、短絡片が取り付けられた状態を示し、（ｂ）は、短絡片が外された状態を示す。
【図７】図７は、表示板の拡大斜視図である。
【図８】図８は、表示板をシャッターに取り付けた状態を示す正面図である。
【図９】図９は、実施例２のトリップロック端子におけるシャッターの拡大斜視図である。
【発明を実施するための形態】
【００２７】
以下、本発明のトリップロック端子について添付図面を参照して説明する。
【実施例１】
【００２８】
図１に示されるように、トリップロック端子１は、基盤２に固定される一対の端子部３ａ，３ｂと、この端子部３ａ，３ｂ同士を接続する短絡片４とを有し、端子部３ａが継電器（図示せず）に接続され、端子部３ｂが遮断器（図示せず）に接続されており、この基盤２に固定され遮断器に接続された端子部３ｂを閉塞可能とするシャッター５を備えて構成されている。
【００２９】
継電器に接続された端子部３ａはいわゆるスタッド端子である。ロッド７に螺合して短絡片４を挟持する一組のナット８，９のうち先端側のナット８が絶縁部材で形成されている。
【００３０】
ナット８は、外周部８ａのみならず、外周部８ａに嵌まり込んでロッド７に螺合される中央部８ｂも絶縁部材で形成されている。
中央部８ｂはナット８の空間に収納されるバネ１０によって、ロッド７の軸方向に沿ってナット９側に向かうバネ力が付与されている。
【００３１】
遮断器に接続された端子部３ｂは、後述する短絡片４の雄端子４５と接続可能に雌端子３１が形成され、基盤２に配設されるロッド１１を介して遮断器に接続されている。
【００３２】
短絡片４は、図２に示されるように、金属製の導電部材で形成され中央部４１が絶縁部材で覆われ、一端部４２には端子部３ｂの雌端子３１と接続するバナナ端子状の雄端子４５が形成され、他端部４３には端子部３ａのロッド７と接続可能に開口して形成されたプラグ４６が形成されている。
【００３３】
シャッター５は、図３に示すように、端子部３ｂの前面を上下（端子部３ａ方向から端子部３ｂ方向）にスライドして開閉するスライド板５０と、スライド板５０の周囲を囲む枠５１と、基盤２の前面において端子部３ｂを避けて設けられた固定板５２（板状部材）とを有して構成されている。
【００３４】
枠５１は、図４に示すように、その両サイドに設けられたレール枠５３，５３と、このレール枠５３，５３の上側に設けられた上枠５４と、下側に設けられた下枠５５とから構成されている。
レール枠５３，５３には、固定板５２がスライド可能に形成された固定レール５６と、スライド板５０がスライド可能に形成されたスライドレール５７が設けられ、側面にはビスによって基盤２に固定するための固定孔５８が設けられている。
また、固定レール５６が形成される内側面の中程には、固定板５２を固定するストッパー１２が設けられている。
【００３５】
ストッパー１２はＬ字状に形成され、背面１３には固定レール５６の延設方向に沿って上枠５４方向に形成された第１の係止爪１４が設けられ、底面１５には固定レール５６の延設方向に沿って下枠５５方向に延設された第２の係止爪１６が設けられている。
レール枠５３，５３の内側面には第１の係止爪１４と係止する第１係止孔（図示せず）と、第２の係止爪１６と係止する第２係止孔（図示せず）とが形成されている。
【００３６】
固定板５２は、図５（ａ）に示すように、プラスチックなどの樹脂で矩形形状に形成され、その大きさは枠５１の半分ほどである。したがって、枠５１の上枠５４と、ストッパー１２により固定板５２が固定されることで、枠５１の上半分が塞がれることになる。
【００３７】
固定板５２の両側面には、固定レール５６と嵌合して摺動可能に形成されたレール溝５２ａが設けられ、基盤２と対向する面と反対側の面（操作側面）には「操作禁止」（作業者に注意を促す文字）と記載されたシールが貼られている。
【００３８】
スライド板５０は、図５（ｂ）に示すように、固定板５２と同様にプラスチックなどの樹脂で矩形形状に形成されるもので、その大きさも固定板５２と略同じである。
スライド板５０の操作側面には、作業者がスライド板５０のスライドを操作するための突起状の操作つまみ５０ｂが設けられ、また、両側面には固定レール５６と嵌合して摺動可能に形成されたレール溝５０ａが設けられている。
【００３９】
したがって、スライド板５０は、スライドレール５７にストッパー１２が設けられていないため、自重によって上方から下方に向かってスライドするように設置されている。
【００４０】
すなわち、図３（ｂ）に示すように、スライド板５０が下降し下枠５５と当接しているときは、スライド板５０と固定板５２とで枠５１が塞がれるようになるため、基盤２の端子部３ｂの前面がシャッター５により塞がれる（シャッター５が閉じている）ことになる。そして、スライド板５０が完全に上昇すると端子部３ｂの前面を塞ぐものがなくなる（シャッター５が開く）ため、端子部３ｂの雌端子３１と接続可能になる。
【００４１】
以上で説明したトリップロック端子１のトリップロック解除状態と、トリップロック状態とについて説明する。
図６（ａ）に示すように、作業者がスライド板５０を上に押し上げて短絡片４を端子部３ａ，３ｂ間に接続し、短絡片４の雄端子４５がスライド板５０の下端部と当接することで、シャッター５が開いた状態が保持される。したがって、短絡片４を介して端子部３ａ，３ｂ間が導通した状態となるため短絡片４で短絡することができるトリップロック解除状態になる。
【００４２】
一方、図６（ｂ）に示すように、短絡片４を取り外した場合には、シャッター５が自重により降下して端子部３ｂの前面を閉塞し、基盤２の端子部３ａ，３ｂ間が絶縁されたトリップロック状態になる。このとき、シャッター５の固定板５２の操作側面に記載された「操作禁止」の文字が表示されることになる。
【００４３】
なお、現在は使用していないが将来的に使用する可能性がある回路のように常時ロックが行われるような場合には、図７に示すような表示板１８を端子部３ｂの雌端子３１に接続するようにしてもよい。
【００４４】
表示板１８は、端子部３ｂの雌端子３１に接続する接続部２１と、接続部が形成された本体部１９とで構成され、プラスチックなどの不導体の樹脂で形成されている。
【００４５】
本体部１９は、レール枠５３の側面を囲うようにコ字状に形成され、その操作側面に位置する背面２０には常時ロックであることを示す「常時ロック中」の文字が記載されている。
接続部２１は、本体部１９の基盤２に対面する面から雄端子（バナナ端子）が端子部３ｂの雌端子３１の挿通方向に突設して形成されたものである。
【００４６】
したがって、図８に示すように、接続部２１を端子部３ｂの雌端子３１に接続したときに、コ字状に形成された本体部１９がレール枠５３の側面を囲うことになるため、表示板１８が枠５１に固定されることになる。
【００４７】
以上述べたように、本発明のトリップロック端子１は、遮断器に接続された端子部３ｂに雌端子３１が形成され、短絡片４の一端部に端子部３ｂの雌端子３１と接続する雄端子４５が形成されることで、電気回路の切離し（テストターミナルロック）等の接続作業を容易にすることができ、接続作業の時間を短縮することが可能となる。
また、継電器に接続される端子部３ａを従来のものと同様のスタッド端子とすることにより、従来のトリップロック端子の端子形状と同一であるため、電圧計等の測定器の接続をコネクタ等を用いずに直接接続することが可能となる。
さらに、遮断器に接続された端子部３ｂは、雄端子４５と接続可能に雌端子３１に形成されることで、スタッド端子のように基盤から突設された部材がなくなるため、端子部３ｂを閉塞可能に形成されたシャッター５を取り付けるためのスペースを確保することが可能となる。
さらにまた、スライド板５０が自重によって上方から下方へのスライドが可能とすることで、短絡片４を取り外すと同時に、押し上げられたスライド板５０が遮断器に接続された端子部３ｂの雌端子３１の前面を閉塞する（シャッターが閉じる）ため、端子部３ｂへの誤信号の入力や異物等の侵入を防ぎ、遮断器が不用意に遮断することを防ぐことができる。
また、シャッター５の固定板５２の操作側面に文字が記載されていることで、スライド板５０が自重により降下して遮断器に接続された端子部の前面を閉じたときに、文字が表示されることになり、作業員が何ら操作を行わずに他の作業員に注意を促す表示を行うことができ、作業者が誤った位置に接続することを防止することが可能になる。そして、この文字表示は、ヒューマンエラーの防止を図ることができるため、電気回路の切離し（テストターミナルロック) 等の接続作業を行う際に、接続箇所の人的判断を行わずに誤操作を防ぐことができるため不用意な遮断器の遮断を防ぐことが可能となるとともに、操作時間の短縮を図ることができる。
さらに、操作側面に文字が記載され表示板１８をトリップロック端子１の端子部３ｂに接続することで、作業者が一見にして回路がどのような状態であるかを判断することができるため、作業ミスを減らすことが可能になる。
さらにまた、雄端子４５をバナナ端子にすることにより、遮断器に接続された端子部３ｂとの接続を確実に行うことが可能になる。
【００４８】
なお、本実施例においてはスライド板５０にストッパー１２を設けなかったが、所定位置までスライドさせたときにスライド板５０が固定され、スイッチを解除することで再び自重によりスライド板５０が降りるように構成してもよい。
【００４９】
このように、スイッチにより固定を解除することが可能なストッパー１２をレール枠５３，５３に設けることで、作業者はスライド板５０を押さえつつ接続作業せずともスライド板５０をストッパー１２で固定させることができるため、容易に端子部に接続することが可能になる。
【００５０】
また、本実施例においては、操作つまみ５０ｂの位置は、スライド板５０の下枠５５に近い位置に設けられるものであったが、図５（ｃ）に示すように、操作つまみ５０ｂの位置は、スライド板５０の上枠５４の近傍で左右に１つずつ設けられるものであっても良い。
【００５１】
このように操作つまみ５０ｂを設けることで、端子の接続作業において作業者の指が邪魔になることを防止できる。また操作つまみ５０ｂの形状は、突起状のもの限られず、例えば、横から押さえることが可能に形成されたものであってもよい。
【００５２】
さらに、本実施例においては、短絡片４の雄端子４５は、バナナ端子で形成されるものであったが、図２（ｃ）に示すように、雄端子４５が先端に向かって縮径するようにテーパー状に形成されたものであってもよい。
【００５３】
このように、雄端子４５の形状をテーパー状に形成することで、金属の磨耗によりテーパー部分の傾斜角度が緩くなるため、目視により端子部の金属部分の磨耗度を容易に確認することが可能となる。
【実施例２】
【００５４】
上述の実施例においては、板状部材が固定板５２によって構成されるものであったが、板状部材が枠５１で構成するものであってもよい。
以下、本実施例のトリップロック端子１の説明を行うが、上記実施例と同一箇所には同一符号を付して説明を省略する。
【００５５】
枠５１は、スライド板５０のスライドをガイドするためのスライドレール５７が設けられた一対のレール枠５３を有して構成されている。そして、一方のレール枠５３から他方のレール枠５３にかけて板状の壁部５９が両レール枠５３と一体に設けられている。
【００５６】
壁部５９は、基盤２に当接して固定されるもので、ビスによって基盤２に固定するための固定孔５８が上枠５４の近傍と下枠５５の近傍との２箇所に形成され、基盤２の端子部３ｂの雌端子３１に接続するための接続孔が略中央に形成されている。
また、壁部５９の操作側面において上枠５４の近傍に形成された固定孔５８と接続孔６１との間には、「操作禁止」と記載されたシールが貼られている。
【００５７】
したがって、スライド板５０が下枠５５と当接しているときは、「操作禁止」の表示が操作側面から見えることになり、スライド板５０が上枠５４と接するときは、接続孔６１から雄端子４５を端子部３ｂの雌端子３１に接続することが可能になる。
【００５８】
以上のように、壁部５９の操作側面に文字が記載されているようにすることで、固定板５２に要していたスペースが不要になるため、固定板５２を設けるスペースが確保できないような場所においても実施することが可能になる。
なお、本実施例においては、壁部はレール枠と一体にして形成されるように説明したが、別体で形成されるものであってもよい。
【符号の説明】
【００５９】
１  トリップロック端子
１２  ストッパー
１８  表示板
２  基盤
２０  表示板の背面
２１  表示板の接続部
３１  雌端子
３ａ、３ｂ  端子部
４  短絡片
４５  雄端子
４６  プラグ
５  シャッター
５０  スライド板
５１  枠
５２  固定板
５９  壁部
【図１】
2014039344.tif 000003
【図２】
2014039344.tif 000004
【図３】
2014039344.tif 000005
【図４】
2014039344.tif 000006
【図５】
2014039344.tif 000007
【図６】
2014039344.tif 000008
【図７】
2014039344.tif 000009
【図８】
2014039344.tif 000010
【図９】
2014039344.tif 000011